(57)【要約】  互いに織り合わされるフリンジ（１、１’）および横糸（２）を有する網と再帰反射要素（３）とからなり、前記再帰反射要素（３）は帯状であり、前記フリンジと横糸（１、１’、２）はポリオレフィン製でありまたはポリオレフィンを含み、前記再帰反射要素 （３）は少なくとも一つの横糸（４）によって前記網に織り合わされ、前記少なくとも一つの横糸（４）はジグザグ状に前記再帰反射要素（３）に織り合わされる、道路工事、建設工事およびまたは土木工事における予防的保護のための警告防護柵であって、少なくともアウターフリンジ（１）がそれぞれ複数の糸（３１、３２）からなり、およびまたは少なくとも外アウターフリンジ（１）がそれぞれ二つまたは複数のフリンジ部分（１１、１２）を有し、前記フリンジ部分は互いに直接隣接しかつ平行に延びるよう、ジグザグ状に延びる少なくとも一つの横糸（５）によって互いに連結される。【選択図】図１
2021503575.tif 000002
【特許請求の範囲】
【請求項１】
互いに織り合わされるフリンジ（１、１’）および横糸（２）を有する網と再帰反射要素（３）とからなり、前記再帰反射要素（３）は帯状であり、前記フリンジと横糸（１、１’、２）はポリオレフィン製でありまたはポリオレフィンを含み、前記再帰反射要素 （３）は少なくとも一つの横糸（４）によって前記網に織り合わされ、前記少なくとも一つの横糸（４）はジグザグ状に前記再帰反射要素（３）に織り合わされる、道路工事、建設工事およびまたは土木工事における予防的保護のための警告防護柵であって、
前記警告防護柵は、少なくともアウターフリンジ（１）がそれぞれ二つのフリンジ部分（１１、１２）を含み、前記フリンジ部分は互いに直接隣接しかつ平行に延びるよう、ジグザグ状に延びる少なくとも一つの横糸（５）によって互いに二つ一組に連結され、前記フリンジ部分（１１、１２）はそれぞれ少なくとも二つの糸（３１、３２）からなることを特徴とする。
【請求項２】
請求項１に記載の警告防護柵であって、残りの前記フリンジ（１’）はそれぞれ二つのフリンジ（１１、１２）を有し、前記二つのフリンジは互いに直接隣接しかつ平行に延びるよう、ジグザグ状に延びる少なくとも一つの横糸（５）によって互いに二つ一組に連結され、前記残りのフリンジ（１’）の前記フリンジ部分（１１、１２）はそれぞれ一つの糸（３１）からなることを特徴とする。
【請求項３】
前記各請求項の一つに記載の警告防護柵であって、前記フリンジと前記横糸（１、１’、２）はポリエチレン製であるまたはポリエチレンを含むことを特徴とする。
【請求項４】
請求項３に記載の警告防護柵であって、前記フリンジと前記横糸（１、１’、２）は高密度ポリエチレン（ＨＤＰＥ）製およびまたは予備膨張されたポリエチレンフィルムから作られまたは予備膨張されたポリエチレンフィルムを含むことを特徴とする。
【請求項５】
前記各請求項の一つに記載の警告防護柵であって、前記再帰反射要素（３）は前記フリンジ（１、１’）に平行にまたは垂直に配置されることを特徴とする。
【請求項６】
前記各請求項の一つに記載の警告防護柵であって、前記再帰反射要素（３）は前記防護柵に埋め込まれることを特徴とする。
【請求項７】
前記各請求項の一つに記載の警告防護柵であって、前記再帰反射要素（３）と前記フリンジと横糸（１、１’、２）の色または色の組み合わせは自由に選択可能であることを特徴とする。
【請求項８】
前記各請求項の一つに記載の警告防護柵であって、前記警告防護柵は前記再帰反射要素（３）をいくつ含んでもよく、０．４ｍから３ｍの間の幅を有することを特徴とする。
【発明の詳細な説明】
【技術分野】
【０００１】
本発明は、特許請求の範囲第１項の前文に記載された通り、道路工事、建設工事およびまたは土木工事における予防的保護のための警告防護柵に関する。
【背景技術】
【０００２】
道路工事、建設工事およびまたは土木工事における予防的保護のための警告防護柵が最も新しい従来技術から知られている。本出願人による欧州特許第１８５１３８５号には、フリンジ（縦糸とも呼ぶ）および横糸を有する網からなる警告防御柵が開示され、フリンジと横糸は互いにおよび再帰反射要素と織り合わされており、再帰反射要素は帯状である。既知の警告防護柵の場合、その繊維はポリオレフィン製、好ましくはポリエチレン製、またはこれを含み、再帰反射要素は少なくとも一つの横糸によって網に織り合わされ、少なくとも一つの糸はジグザグ状に再帰反射要素に織り合わされる。ここで、各フリンジはそれぞれ一つの糸からなる。
【０００３】
それぞれのフリンジは、警告防護柵を製造するのに使用される機械、特にラッシェル編機として主に設計される機械の走行方向に延びており、防護柵を形成するためにフリンジ同士を連結する横糸は、機械の走行方向に対して垂直に延び、そのため各フリンジに対して垂直に延びる。
【発明の概要】
【発明が解決しようとする課題】
【０００４】
このような警告防護柵は一般的に、全天候下で使用される。しかしながら不利なことに、大雪や暴風などの好ましくない気象状態においては、これらの警告防護柵の安定性は不十分であると判明することがある。これらの警告防護柵は主に、警告防護柵のそれぞれの外側および外側の間の領域にて、金属柱または金属棒によって取り付けられる。これらの取付方法を採用すると、好ましくない気象状態が生じた場合、アウターフリンジの破壊強度および引張強度が不足するために警告防護柵がちぎれたり破れたりする。
【０００５】
本発明の目的は、道路工事、建設工事およびまたは土木工事の予防的保護のための警告防護柵であって、好ましくない気象状態に晒された際に高い引張強度を有するものを提示することにある。
【課題を解決するための手段】
【０００６】
この課題は、特許請求の範囲第一項に記載の特徴によって達成される。本発明の他の実施例および有利点は従属項の結果から達成される。
【０００７】
これに関して、互いに織り合わされるフリンジと横糸を有する網と再帰反射要素とからなり、再帰反射要素は帯状であり、フリンジと横糸はポリオレフィン製でありまたはポリオレフィンを含み、再帰反射要素は少なくとも一つの横糸によって網に織り合わされ、少なくとも一つの横糸はジグザグ状に再帰反射要素に織り合わされる道路工事、建設工事およびまたは土木工事における予防的保護のための警告防護柵が提案される。
【０００８】
本発明によると、少なくともアウターフリンジ、つまり警告防護柵を形成するために垂直に延びる横糸のみによって他の１つのフリンジに連結される複数のフリンジは、それぞれ二つまたは複数の糸からなる。残りの各フリンジはそれぞれ、フリンジに垂直に延びる横糸によって警告防護柵を形成する二つのフリンジに連結される。
【０００９】
そのため、最も新しい従来技術から知られる警告防護柵を製造する機械の導糸針は、例えば２本または３本といった、複数の糸を導糸可能に設計される。
【００１０】
追加的にまたは代替的に、少なくともアウターフリンジがそれぞれ二つまたは複数のフリンジ部分を有し、フリンジ部分は互いに直接隣接しかつ平行に延びるよう、ジグザグ状に延びる少なくとも一つの横糸によって互いに連結される。二つのフリンジ部分からなるフリンジの場合は、フリンジ部分は少なくとも一つの横糸によって互いに二つ一組に連結される。
【００１１】
本発明の第一の実施形態の範囲において、アウターフリンジはそれぞれ二つまたは複数の糸を含み、追加的にまたは代替的に、少なくともアウターフリンジはそれぞれ二つのフリンジ部分を含み、フリンジ部分は互いに直接隣接しかつ平行に延びるよう、ジグザグ状に延びる少なくとも一つの横糸によって互いに連結される。
【００１２】
本発明の別の実施形態の範囲において、アウターフリンジはそれぞれ二つのフリンジ部分を含み、フリンジ部分は互いに直接隣接しかつ平行に延びるよう、ジグザグ状に延びる少なくとも一つの横糸によって互いに連結され、フリンジ部分はそれぞれ二つのまたは複数の糸からなる。さらに、残りのフリンジはフリンジ部分がそれぞれ一つの糸からなる二つのフリンジ部分を含む、フリンジとして設計される。
【００１３】
フリンジと横糸はポリオレフィン製であってよく、好ましくはポリエチレン製またはポリエチレンを含む。特に、フリンジと横糸は好ましくは高密度ポリエチレン（ＨＤＰＥ）製およびまたは予備膨張されたポリエチレンフィルムから作られまたは予備膨張されたポリエチレンフィルムを含む。
【００１４】
本発明によると、再帰反射要素はフリンジに対して平行にまたは垂直に配置可能であり、その量は自由に選択可能である。再帰反射要素は、警告防護柵に埋め込むことができる。帯状の再帰反射要素の幅は好ましくは１から１０００ｍｍの間である。
【００１５】
本発明の概念によると、少なくともアウターフリンジが非常に高いレベルの破壊強度および引張強度を有することを保証することにより、好ましくない気象状態にあっても非常に高い耐久性および強度を有する、道路工事、建設工事およびまたは土木工事における予防的保護のための警告防護柵が提供される。本発明にかかる警告防護柵は、任意の量の再帰反射要素と幅を有することが可能であり、二つのアウターフリンジの間の距離が、例えば、０．４ｍから３ｍの間であってよいことを意味する。
【００１６】
警告防護柵の色およびデザインは任意であってよく、警告防護柵は一つまたは複数の色を有してよい。再帰反射要素およびフリンジと横糸の色の組み合わせは、自由に選択可能である。
【００１７】
本発明は、添付された図面の例に基づいて、以下に詳細に説明する。添付図面は以下の通りである。
【図面の簡単な説明】
【００１８】
図１は、本発明に係る警告防護柵の実施形態にかかる図である。
図２は、図１に示す警告防護柵の左上部の詳細を示す図である。
【発明を実施するための形態】
【００１９】
添付図面を参照しつつ本発明を説明すると、ポリオレフィン製のまたはポリオレフィンを含むフリンジ１および横糸２を有する網からなり、フリンジ１と横糸２は互いにおよび帯状の再帰反射要素３と織り合わされる警告防護柵が提案され、再帰反射要素３はジグザグ状に延びる少なくとも一つの横糸４によって前記網に織り合わされる。
【００２０】
添付図面を参照しつつ、本発明を説明すると、少なくともアウターフリンジ１がそれぞれ二つまたは複数の糸からなり、およびまたは少なくともアウターフリンジ１がそれぞれ二つまたは複数のフリンジ部分を含み、つまりアウターフリンジ１は少なくとも二つのフリンジ部分からなり、フリンジ部分は互いに直接隣接しかつ平行に延びるよう、ジグザグ状に延びる横糸によって互いに連結されると記載されている。
【００２１】
図１および図２に示す例示的実施形態によると、アウターフリンジ１はそれぞれ、互いに直接隣接しかつ平行に延びるよう、ジグザグ状に延びる横糸５によって互いに連結されるよう設計される、二つのフリンジ部分１１および１２を含むフリンジとして設計され、アウターフリンジ１のフリンジ部分１１および１２はそれぞれ二つの糸３１および３２からなる。図に示すとおり、残りのフリンジ１’はそれぞれフリンジ部分１１および１２を有し、これらのフリンジ１の二つのフリンジ部分１１および１２はそれぞれ一つの糸３１からなる。
【図１】
2021503575.tif 000003
【図２】
2021503575.tif 000004
【国際調査報告】
2021503575.tif 000005
2021503575.tif 000006
2021503575.tif 000007
2021503575.tif 000008
2021503575.tif 000009
2021503575.tif 000010